(57)【要約】      （修正有）【課題】改善された取扱いで一層小さい取付け奥行きを可能にする車両用輸送容器装置を提供する。【解決手段】  車両用輸送容器装置１０は、車両に固定した保持枠１１へ輸送容器１２の取付け枠１３が差込み可能であり、取付け枠１３に揺動支持個所３１が付属し、保持枠１１に揺動対向支持個所３２が付属し、取付け枠１３が、こうして形成される揺動軸線３３の周りに揺動可能であり、取付け枠１３の取付け位置において揺動軸線３３から離れて設けられて移動可能な拘束素子２８が、取付け枠１３を保持枠１１に取外し可能に取付けるために設けられている。本発明により揺動支持個所３１が、取付け枠１３の差込み運動の際取付け枠１３の先行する縁３１の範囲４３に設けられ、揺動軸線３３が縁３１の範囲に対して実質的に平行に延びている。【選択図】図６
2005247304.tif 000002
【特許請求の範囲】
【請求項１】
車両用輸送容器装置（１０）であって、車両に固定した保持枠（１１）を持ち、この保持枠（１１）へ輸送容器（１２）の取付け枠（１３）が差込み可能であり、取付け枠（１３）に揺動支持個所（３１）が付属し、保持枠（１１）に揺動対向支持個所（３２）が付属し、取付け枠（１３）が、こうして形成される揺動軸線（３３）の周りに、取付け位置（図１０）へ揺動可能であり、取付け枠（１３）の取付け位置において揺動軸線（３３）から離れて設けられて移動可能な拘束素子（２８）が、取付け枠（１３）を保持枠（１１）に取外し可能に取付けるために設けられているものにおいて、揺動支持個所（３１）が、取付け枠（１３）の差込み運動の際取付け枠（１３）の先行する縁（３１）の範囲（４３）に設けられ、揺動軸線（３３）が縁（３１）の範囲に対して実質的に平行に延び、揺動支持個所（３１）の範囲に保持面（２２ｅ，２２ｆ）が設けられ、これらの保持面（２２ｅ，２２ｆ）が保持枠（１１）の内側幅（ｂ）を越えて揺動軸線（３３）の方向へ突出し、保持枠（１１）に保持面（２２ｅ，２２ｆ）用の案内面（２４ｂ，２４ｄ）が設けられていることを特徴とする、車両用輸送容器装置。
【請求項２】
保持枠（１１）が周りを囲むように構成されて、２つの縦辺（１４ｂ，１４ｄ）及び２つの横辺（１４ａ，１４ｃ）を含んでいることを特徴とする、請求項１に記載の輸送容器装置。
【請求項３】
取付け枠（１３）が周りを囲むように構成されて、２つの縦辺（１７ｂ，１７ｄ）及び２つの横辺（１７ａ，１７ｃ）を含んでいることを特徴とする、請求項１又は２に記載の輸送容器装置。
【請求項４】
揺動軸線（３３）が実質的に水平に向けられていることを特徴とする、請求項１〜３の１つに記載の輸送容器装置。
【請求項５】
揺動軸線（３３）が取付け枠（１３）の下部横辺（１７ａ）の範囲に設けられていることを特徴とする、請求項１〜４の１つに記載の輸送容器装置。
【請求項６】
取付け枠（１３）がカラー状の縁フランジ（２３）を持っていることを特徴とする、請求項１〜５の１つに記載の輸送容器装置。
【請求項７】
縁フランジ（２３）が、取付け枠（１３）の２つの縦辺（１７ｂ，１７ａ）及び１つの横辺（１７ｃ）に沿って延びていることを特徴とする、請求項６に記載の輸送容器装置。
【請求項８】
縁フランジ（２３）が実質的に完全に周りを囲むように構成されていることを特徴とする、請求項６又は７に記載の輸送容器装置。
【請求項９】
揺動支持個所（３１）が縁フランジ（２３）に設けられていることを特徴とする、請求項１〜８の１つに記載の輸送容器装置。
【請求項１０】
揺動支持個所（３１）が縁フランジ（２３）の自由縁により形成されていることを特徴とする、請求項９に記載の輸送容器装置。
【請求項１１】
保持面（２２ｅ，２２ｆ）が縁フランジ（２３）に設けられていることを特徴とする請求項６〜１０の１つに記載の輸送容器装置。
【請求項１２】
保持面（２２ｅ，２２ｆ）は、取付け枠（１３）が保持枠（１１）を通り抜けるのを防止するように設けられていることを特徴とする、請求項１〜１１の１つに記載の輸送容器装置。
【請求項１３】
保持枠（１１）への取付け枠（１３）の差込み運動の際保持面（２２ｅ，２２ｆ）が、取付け枠（１３）の差込み端部（４３）の揺動運動を、保持枠（１１）の包絡線内の範囲に限定するように、保持面（２２ｅ，２２ｆ）が配置されていることを特徴とする、請求項１〜１２の１つに記載の輸送容器装置。
【請求項１４】
保持枠（１１）が段状肩部（２４，２４ａ，２４ｂ，２４ｃ，２４ｄ）を持っていることを特徴とする、請求項１〜１３の１つに記載の輸送容器装置。
【請求項１５】
肩部（２４，２４ａ，２４ｂ，２４ｃ，２４ｄ）が保持枠（１１）の２つの縦辺及び１つの横辺に沿って延びていることを特徴とする、請求項１〜１４の１つに記載の輸送容器装置。
【請求項１６】
肩部（２４，２４ａ，２４ｂ，２４ｃ，２４ｄ）が実質的に完全に周りを囲むように構成されていることを特徴とする、請求項１４又は１５に記載の輸送容器装置。
【請求項１７】
案内面（２４ｂ，２４ｄ）が肩部（２４）に設けられていることを特徴とする、請求項１４〜１６の１つに記載の輸送容器装置。
【請求項１８】
案内面（２４ｂ，２４ｄ）が保持枠（１１）の縦辺（１４ｂ，１４ｄ）の実質的に全長にわたって延びていることを特徴とする、請求項１〜１７の１つに記載の輸送容器装置。
【請求項１９】
案内面（２４ｂ，２４ｄ）が、揺動対向支持個所（３２）の方への支持個所（３１）の案内される運動のための滑り支持体を与えることを特徴とする、請求項１〜１８の１つに記載の輸送容器装置。
【発明の詳細な説明】
【技術分野】
【０００１】  本発明は、請求項１の上位概念に記載の、特に乗用車において背もたれ側又は荷物室側取付けのための例えば貫通箱装置のような輸送容器装置に関する。
【背景技術】
【０００２】  本発明の出発点となっている出願人のこのような輸送箱装置は、ドイツ連邦共和国特許出願公開第１０１３２０８１号明細書から公知である。そこに記載されている輸送容器装置は、多様な使用において有効なことがわかった。公知の輸送容器は取付け枠を含み、この取付け枠の端部又は先行端部と称することができる自由端が、車両側の保持枠へ差通されて、取付け枠側揺動支持個所が保持枠側揺動支持個所へ当る（その図５参照）。こうして形成される揺動軸線は、その図８による取付け位置へ、この揺動軸線の周りに取付け枠が揺動するのを可能にする。
【発明の開示】
【発明が解決しようとする課題】
【０００３】  この従来技術から出発して、本発明の基礎にかなっている課題は、公知の車両用輸送箱装置を発展させて、改善された取扱いで一層小さい取付け奥行きを可能にすることである。
【課題を解決するための手段】
【０００４】  本発明は、請求項１の特徴によりこの課題を解決し、従って揺動支持個所が、取付け枠の差込み運動の際取付け枠の先行する縁の範囲に設けられ、揺動軸線が縁の範囲に対して実質的に平行に延び、揺動個所の範囲に保持面が設けられ、これらの保持面が保持枠の内側幅を越えて揺動軸線の方向へ突出し、保持枠に保持面用の案内面が設けられている。【０００５】  従って本発明の原理は、ドイツ連邦共和国特許出願公開第１０１３２０８１号明細書により取付け枠の２つの横辺の間に設けられている揺動軸線を、今や取付け枠の枠辺の範囲、なるべく下部横辺の範囲へ移すことである。揺動支持個所は今や取付け枠の下部隅範囲にあるのがよく、例えば取付け枠から突出するフランジに設けることができる。本発明によれば、取付け枠の差込み端部が保持枠を通り抜けるのを防止されるか又は必要としない。その際本発明は、公知の取付け枠では、揺動支持個所及び揺動対向支持個所から揺動軸線を形成するため、その差込み端部を比較的大きく保持枠へ差込むかこれに差通さねばならないことを知っている。【０００６】  揺動支持個所を取付け枠の先行する端部範囲に設けることにより、揺動支持個所を保持枠の下部横辺範囲に設けることが同じように可能となる。保持枠に対する取付け枠の揺動運動は、変った幾何学的条件のため、今や取付け枠の差込み端部又は下部横辺が、取付け枠の揺動中に、保持枠のほぼ包絡線内に留まるように、行われる。それにより保持枠の取付け奥行きを著しく小さくすることができ、例えば乗用者の側壁への取付けも可能になる。【０００７】  同様に輸送箱容器装置が背もたれ側又は荷物室壁に取付けられる場合、荷物室が十分に荷物を積込まれている時にも、取付け枠の差込みが可能である。差込み運動中に取付け枠の主要な範囲又は部分が保持枠を通って、保持枠の裏側から突出することなしに、取付け枠の差込み運動を行うことができる。【０００８】  本発明によれば、取付け枠側揺動支持個所の範囲に保持面が設けられている。これらの保持面は、保持枠の内側幅を越えて揺動軸線の方向に突出し、こうして揺動支持個所が保持枠の内部空間へ入り込むのを防止し、取付け枠の先行する差込み端部が保持枠を通り抜けるのを防止する。取付け枠従って本来の縁に対して側方へ突出し従って露出される保持面は、更に保持枠にある案内面と共同作用することができる、こうして例えば保持枠に周りを囲む段状肩部を設けることができ、この肩部はなるべく保持枠の縦辺の全長にわたって延びている。取付け枠は、その差込み端部を前もって段状肩部の任意の位置に取付けられることができ、こうして案内面を形成する段部を越えて導かれ、それから取付け枠側揺動支持個所が保持枠の下部横辺にある揺動対向支持個所へ当たることができる。続いて取付けモジュールを保持枠側に固定するため、揺動運動を行うことができる。従って取扱いは快適で簡単である。照準過程はもはや必要でない。【０００９】  本発明は、更にほぼ完全に周りを囲む縁フランジを取付け枠に設けるのを可能にする。これは、美的な観点から有利な視覚的閉鎖を可能にし、有害な継目像を回避する。更に取付け枠と保持枠との間の間隙の完全な密閉特に視覚的密閉が行われるように、ほぼ周りを囲むカラー状縁フランジを、保持枠の材料範囲と重ならせることができる。【００１０】  取付け枠を目的に合わせて保持枠に取付ける、ドイツ連邦共和国特許出願公開第１０１３２０８１号明細書による公知技術の運搬容器装置とは異なり、本発明による輸送容器装置では、取付け枠は、保持枠の縦辺に沿って任意の位置で保持枠に取付けることができ、案内面により案内されて、保持枠に対して揺動初期位置へ自動的に達するが、この初期位置において揺動支持個所及び揺動対向支持個所により揺動軸線が形成され、取付け位置への取付け枠の揺動が可能である。【００１１】  ドイツ連邦共和国特許第３７３８９３１号明細書から、スキーの輸送装置が公知であり、取付け枠がストッパを形成するフランジ状縁を持ち、この縁が車体側保持枠の対向ストッパに係合している。ドイツ連邦共和国特許第３７３８９３１号明細書による保持枠は固定車体部分により形成され、その図４によれば、車両のほぼ全幅にわたって延びる開口を与えている。取付け枠は、その上部フランジ及び下部フランジのみによって、保持枠に取付けられる。保持枠の内側幅にわたって揺動軸線の方向に突出する保持面は、この刊行物には示されていない。保持面用の案内面も保持枠に設けられていない。この装置では、保持枠への取付け枠の取付けは費用がかかり、不便である。なぜならば、目的に合わせて取付け枠を保持枠に差込むことが必要だからである。取付け枠の頻繁で簡単な交換には、この装置は適していない。【００１２】  本発明の有利な構成によれば、保持枠及び／又は取付け枠が周りを囲むように構成されて、２つの縦辺及び２つの横辺を含んでいる。これは輸送容器装置の従来の構造を考慮し、取付け枠及び保持枠がほぼ四角形に構成され、従来の部材の使用を部分的に可能にする。輸送容器装置が例えば貫通箱装置として構成されている場合、取付け状態でほぼ垂直に向くか又は背もたれの傾斜に合わされている両方の縦辺は、通常横辺より長い。しかし輸送容器装置が別の機能を利用し、例えば遊戯パネルの収容及び輸送に用いられる場合、別の枠形状例えば正方形の枠形状も同じように可能である。【００１３】  本発明は、取付け枠が取付け状態にある場合揺動軸線がほぼ垂直に向けられるか、又は別の傾斜を持つことも排除しない。しかし揺動軸線が実質的に水平に向けられているのがよい。なぜならば、これにより特に便利な取扱いが可能になるからである。更になるべく揺動軸線が取付け枠の下部横辺の範囲に設けられているので、取付け枠を保持枠へ差込む際利用者は揺動力を利用でき、操作の高い快適さを受ける。【００１４】  本発明の別の有利な構成によれば、取付け枠がカラー状の縁フランジを持っている。これにより特に簡単な構造が可能となる。なぜならば、取付け枠側揺動支持個所を縁フランジに設けることができるからである。同時に縁フランジは保持枠の材料範囲で覆うのに役立つので、密封特に外観密封又は通風密封を行うことができる。【００１５】  本発明の別の有利な構成によれば、縁フランジが、取付け枠の２つの縦辺及び１つの横辺に沿って延び、外観密封を行うため、ほぼＵ字状のこのような縁フランジで理論的に充分である。しかし特にきれいな継目外観従って見事な美的全体印象を得るため、縁フランジが実質的に完全に周りを囲むように構成されているのがよい。【００１６】  前述した縁フランジは、取付け枠の全周に沿って延びているか、又は縁フランジが取付け枠の２つの縦辺及び１つの横辺のみに沿って延びている場合、これらの辺に沿って延びていることができる。縁フランジを保持枠の材料範囲で半径方向に覆うと、所望の密封が行われる。特に縁フランジを保持枠側案内面と重ねて設けることが可能である。こうして案内面は縁フランジ用のストッパ面を提供することもできる。【００１７】  本発明の別の有利な構成によれば、保持面が縁フランジに設けられている。これにより本発明による輸送容器装置の特に簡単な構造が可能になる。【００１８】  本発明の有利な構成によれば、保持枠が段状肩部を持っている。段状肩部は有利なように縁フランジの接触に役立つので、輸送容器装置は保持枠と取付け位置にある取付け枠との間に同一面の終端部を持つことができる。同時に肩部は案内面を持っているので、特に簡単な構造が可能になる。【００１９】  本発明のそれ以外の利点は、引用されなかった従属請求項及び図示された実施例の以下の説明から明らかになる。
【発明を実施するための最良の形態】
【００２０】  本発明による輸送容器装置は、図において全体を１０で示されている。輸送容器装置の以下の説明において、同じ又は対比可能な部分又は素子は一部に小文字をつけて同じ符号を付けられている。【００２１】  実施例によれば、輸送容器装置１０は貫通箱装置として構成され、取付け枠１３を持つ輸送容器１２を含んでいる。輸送容器１２は、図６による自動車後部座席背もたれ３４に取付けられている保持枠１１への取付けに用いられる。背もたれ３４及び必要な場合には保持枠１１も、概略的に示す頭支え３５に結合されることができる。同様に図６に示すひじ掛け３７も設けることができ、このひじ掛け３７は例えば範囲３６にある揺動軸線の周りに揺動可能であり、図示しないほぼ垂直な揺動位置で、輸送容器１２を乗客室側で覆うことができる。【００２２】  図６において、車両の走行方向はｘで示されている。貫通箱装置は、例えばスキーのような細長い物体を荷物室３８から乗客室３９の中まで通すのに役立つ。スキー袋容器として構成される輸送容器１２は、そのため内部空間２０に図示しないスキー袋を持ち、従ってその基本構造及びその機能において、ドイツ連邦共和国特許出願公開第１０１３２０８１号明細書による輸送容器に一致している。【００２３】  例えば図１によれば、輸送容器１２はほぼ四角形に構成され、ほぼ四角形の取付け枠１３を含んでいる。取付け枠１３は、特に車両の車体とは別個の車両側保持枠１１へ差込むのに役立つ。保持枠１１も同様にほぼ四角形断面を持ち、４つの枠辺１４ａ，１４ｂ，１４ｃ，１４ｄを含んでいる。上及び下の枠辺１４ｃ，１４ａは横辺と称され、側方の枠辺１４ｂ，１４ａは縦辺と称される。貫通箱通路１６は保持枠１１の内面１５ａ，１５ｂ，１５ｃ，１５ｄにより区画されている。【００２４】  実施例による輸送容器１２は、図１，２，４及び６からわかるように、軸線ｍの周りに揺動可能な前部蓋１８、図示しない平行な軸線の周りに揺動可能な後部蓋１９、及び４つの辺１７ａ，１７ｂ，１７ｃ，１７ｄを持つ取付け枠１３から成っている。４つの辺１７ａ，１７ｂ，１７ｃ，１７ｄは、両方の蓋１８，１９と共に輸送容器１２の内部空間２０を区画し、この内部空間２０に図示しないスキー袋が通常折畳まれて保管される。図１及び３に示されている押しボタンのような操作素子２１は、利用者が蓋１８及び１９を開くのを可能にするので、スキー袋を取外しかつ広げて、例えば細長い荷物を荷物室３８から乗客室３９へ通すことができる。【００２５】  ここでは、実施例は例としてのみ解釈すべきである。スキー袋モジュールとして構成される輸送容器の代わりに、本発明によれば、冷却モジュール、遊戯パネルモジュール、ＤＶＤプレーヤのような娯楽機器用モジュールも使用することができる。他の輸送容器装置から公知のように、本発明による輸送容器装置でも、取付け枠は任意の容器モジュール等の部分又は取付け部分であってもよい。【００２６】  取付け枠１３は、実施例によれば、周りを囲んで外方へ突出するカラー状縁フランジ２３を備えている。周りを囲む縁フランジ２３は、取付け枠１３の辺１７ａ，１７ｂ，１７ｃ，１７ｄに対応する範囲２３ａ，２３ｂ，２３ｃ，２３ｄを持っている。縁フラン���２３は保持枠１１の段状肩部２４と共同作用することができる。このため走行方向において先行する貫通箱通路１６の開口範囲に、半径方向拡張部が設けられている。肩部２４は周りを囲むように形成され、辺１４ａ，１４ｂ，１４ｃ，１４ｄに対応して肩面２４ａ，２４ｂ，２４ｃ，２４ｄを持っている。【００２７】  段状肩部２４は縁フランジ２３の大きさに合わされている。図２によれば、取付け枠１３は、保持枠１１（図５）の内側幅ｂ従って貫通箱通路１６の幅を上回る幅Ｂを持っている。段状肩部２４の幅は、段状肩部２４の区画面４０１，４０ｄの間隔ｗが取付け枠１３の幅Ｂにほぼ一致するように選ばれている。縁フランジ２３は、こうして段状肩部２４へ差込まれることができる。縁フランジ２３は、取付け状態においてその裏側２２（図３）で、肩部２４の対応する肩面２４ａ，２４ｂ，２４ｃ，２４ｄに接触する。特に強調すべきことは、縁フランジ範囲２３ａの裏側２２の図２に示す下部隅範囲２２ｅ及び２２ｆが、保持枠１１への取付け枠１３の深すぎる挿入又は保持枠１１を通る取付け枠１３の通り抜けを防止する保持面又は保持面範囲を形成していることである。保持面２２ｅ及び２２ｆは、後述する差込み運動の範囲内で、肩面２４ｂ，２４ｄの任意の個所へ近づけられ、これらの面に沿って滑り下るように移動され、それから取付け枠１３の揺動支持個所３１が、保持枠１１の揺動対向支持個所３２と共に、揺動軸線３３を形成することができる。肩部２４の面２４ｂ及び２４ｄは、こうして保持面２２ｅ及び２２ｆのために案内面を提供する。【００２８】  念のため指摘すべきことは、縁フランジ２３の裏側２２が、対応する縁フランジ範囲２３ａ，２３ｂ，２３ｃ，２３ｄに対応して、裏側範囲２２ａ，２２ｂ，２２ｃ，２２ｄに区分されていることである。【００２９】  取付け枠１３の下部横辺１７ａの範囲に、例えば図１，２及び３からわかるように、２つの固定拘束突起２５ａ及び２５ｂが設けられている。これらの拘束突起２５ａ，２５ｂは、図３に概略的にのみ示す２つの対応する受入れ部２６へ入り込むことができる。【００３０】  これに関連して述べておく価値のあると思われることは、取付け枠１３の外周面２７ａ及び２７ｃ（図３）及び保持枠１１内周面１５ａ及び１５ｃが、車両の走行方向ｘに関して、少し傾斜していることである。この傾斜は、ドイツ連邦共和国特許出願公開第１０１３２０８１号明細書から既に公知の傾斜にほぼ一致し、面１５ａ，１５ｃと面２７ａ，２７ｃとの大きい面積の充分な相互当接を可能にする。【００３１】  取付け枠１３の外周面２７から突出する拘束突起２５ａ及び２５ｂは有利であるが、必要ではない。これらの拘束突起は、大体において高い衝突安全性に役立つ。【００３２】  本発明によれば、実施例において取付け枠１３の上部横辺１７ｃの範囲に設けられて概略的にのみ示されている拘束素子２８（図３）が必要である。この拘束素子２８は両方向矢印ｙの方向に、再び概略的にのみ示す操作素子２９により移動可能である。移動可能な拘束素子２８に対応して、保持枠１１の内周面１５ｃに凹所３０が設けられている。【００３３】  取付け枠１３の下部辺１７ａに付属している縁フランジ２３又は範囲２３ａ��図３から明らかにわかる自由縁３１は、本発明によれば揺動支持個所を形成している。この揺動支持個所３１は、保持枠１１の下部支持面２４ａの範囲に設けられる揺動対向支持個所３２と共同作用し、こうして揺動軸線３３を形成している。【００３４】  さて図６〜１０により、本発明による輸送容器装置１０の差込み過程を詳細に説明する。【００３５】  図６は利用者の手４１を示し、輸送容器１２又は取付け枠１３の握り端部４２がつかまれている。握り端部４２は、輸送容器１２の差込み端部４３即ち先行端部又は先行縁範囲から離れて設けられている。【００３６】  取付け枠１３の差込み端部４３は、図６の位置から始まって保持枠１１へ差込むため、まず継続的に保持枠１１の方へ動かされ、それからフランジ縁２３又は揺動支持個所として形成されるその縁３１及び保持面２２ｅ，２２ｆと、段状肩部の面２４ｂ又は２４ｄとが接触する（図７）。従って揺動支持個所３１には保持面２２ｅ，２２ｆが付属して、肩面２４ｂ，２４ｄと接触するため、取付け枠１３が貫通箱通路１６を通り抜けるのを防止される。【００３７】  更に支持面２４ｂ，２４ｄが、保持面２２ｅ，２２ｆ用案内面として構成されており、取付け枠１３が図７の位置から図８の位置へ案内されて滑り下りるのを可能にし、図８の位置で取付け枠１３の縁３１が、保持枠１１の揺動支持個所３２（図７）の範囲へ達し、こうして揺動軸線３３を形成する。詳細に考察すると、縁フランジ２３の範囲２３ａの第２の自由縁５０が肩部２４の底壁としての区画面４０ａ（図５）へ当たることがわかる。【００３８】  図８による当たり位置で、取付け枠１３の図８において下左の隅４４がまだ保持枠１１の包絡線内にあり、特に保持枠１１から荷物室３８の中へ突出してはいない。例えば図８による保持枠１１の側面図の最も外側の輪郭線を形成する輪部が、本発明の意味における包絡線と称される。【００３９】  さて次の揺動運動中に利用者は、取付け枠１３を揺動軸線３３の周りに反時計方向に揺動させることができる。図９は中間位置を示し、図１０は取付け状態を示し、この取付け状態で取付け枠１３の握り端部４２が保持枠１１の上部辺１４ｃに当接する。【００４０】  移動可能な拘束素子２８はスナップかぎとして構成することができ、適当な相手面（例えば４５）へ接触する際自動的に入り込み、図１０の取付け状態に達するとはね返る。その代わりに、図９の位置から始まって図１０の位置へ達するため、利用者は、図９には示されてない操作ボタン２９又は拘束素子２８を入れるための操作素子を操作せねばならないようにすることもできる。【００４１】  強調すべきことは、移動可能な拘束素子２８が保持枠１１の上部辺１４ｃとは別の範囲においても作用できることである。同様に複数の移動可能な拘束素子２８を設けることもできる。【００４２】  取付け枠１３を直接保持枠１１に取付けて、案内面２４ｂ，２４ｄに沿って保持面２２ｅ，２２ｆ又は揺動支持個所３１の滑り運動を行うことなく、揺動支持個所３１と揺動対向支持個所３２との接触が行われるようにすることも、利用者に可能である。しかし案内面２４ｂ，２４ｄを設けると、取付け枠１３をその先行する縁３１で任意の個所にある案内面２４ｂ��２４ｄに取付け、揺動対向支持個所３２へ揺動支持個所３１を簡単に近づけることが可能である。従って従来技術に比較して取扱い易さが高まる。【００４３】  特に図６から明らかなように、縁フランジ２３の下部範囲２３ａの揺動支持個所３１又は縁が、必ずしも保持枠１１の包絡線にはじめて接触する取付け枠１３の材料範囲ではない、即ちこれは保持枠１１に対する取付け枠１３の角度位置にも関係している。しかし説明及び図面に示された実施例に基いて、本発明の意味において、取付け枠１３の握り端部４２から離れた縁範囲４３を、取付け枠１３の先行する縁と解釈すべきことは明らかである。【００４４】  図からわかるように、揺動軸線３３は、取付け枠１３の下部枠辺１７ａ又は保持枠１１の下部枠辺１４ａに対して平行に設けられている。その際揺動軸線３３は、なるべく枠辺１７ａの全長にわたって延び、それにより特に安定で確実な揺動支持体が与えられる。【００４５】  更に述べておくべきことは、図８〜１０の相互作用から付加的にのみわかるように、取付け枠側揺動支持個所３１と保持枠側揺動対向支持個所３２が、揺動運動中にわずかしかずれないので、微視的に見て、揺動運動中に保持枠１１及び取付け枠１３の異なる面が互いに接触できることである。その結果例えば図８の状態から始まって、保持枠側揺動支持個所３２従って同じように揺動軸線３３も、取付け枠１３の揺動中に、図９の位置へ僅か下方へ移動する。【００４６】  自動車の後部座席背もたれにおける取付け枠１３の図示した取付け状態のほかに、自動車の側壁に設けられる保持枠も同様に可能である。この場合輸送容器１２は、例えば滞留室モジュール等として構成でき、他のモジュールと交換するため車両側保持枠に取外し可能に取付けることができる。【００４７】  最後に図４によりなお説明すべきことは、縁フランジ２３を設けるため、運動遊隙４６が著しく覆われることである。即ち図４によれば、縁フランジ２３が、揺動軸線３３の方へほぼ幅ｓの突出で、幅ｔの段状肩部２４を約ｓ−ｔの値だけ覆っていることが、明らかである。従って運動遊隙４６は完全に密に閉鎖される。
【図面の簡単な説明】
【００４８】
【図１】  車両側取付け個所なしに車両側に固定される保持枠を持ちかつ貫通箱装置として構成された輸送容器装置、及びこれから取外されかつスキー袋モジュールとして構成されて取付け枠を持つ輸送容器を、概略斜視図で示す。
【図２】  図１の輸送容器の正面図を示す。
【図３】  保持枠及びその中へ差込まれて取付け枠を持つ輸送容器を図１の切断線ＩＩＩ−ＩＩＩ線による断面図で示す。
【図４】  保持枠及びその中へ差込まれて取付け枠を持つ輸送容器を図１の切断線ＩＶ−ＩＶ線による断面図で示す。
【図５】  保持枠の正面の斜視図を示す。
【図６】  自動車後部座席背もたれに取付けられた輸送容器装置、及び利用者によりつかまれる取付け枠を持つ輸送容器を、差込み前において示す。
【図７】  図６における差込み過程の第１段階を示す。
【図８】  差込み過程の第２段階を示す。
【図９】  差込み過程の第３段階を示す。
【図１０】  差込み過程の最終段階を示す。
【符号の説明】
【００４９】  １０                輸送容器装置
１１                保持枠
１２                輸送容器
１３                取付け枠
２２ｅ，２２ｆ      保持面
２４ｂ，２４ｄ      案内面
２８                拘束素子
３１                揺動支持個所
３２                揺動対向支持個所
３３                揺動軸線
４３                範囲
【図１】
2005247304.tif 000003
【図２】
2005247304.tif 000004
【図３】
2005247304.tif 000005
【図４】
2005247304.tif 000006
【図５】
2005247304.tif 000007
【図６】
2005247304.tif 000008
【図７】
2005247304.tif 000009
【図８】
2005247304.tif 000010
【図９】
2005247304.tif 000011
【図１０】
2005247304.tif 000012